(57)【特許請求の範囲】
【請求項１】
肛門から腸内に先端側の所定位置までを挿入できる所要巾の細長の挿入部材を設け、同挿入部材に棒状部材を可動自在に取り付け、前記挿入部材と前記棒状部材に両端を取り付けるようにシートをはり渡し、棒状部材を動かして便を包囲するようシートを展開する展開機構を設け、同展開機構の操作部を挿入部材の基端側に設け、シートを展開してシートと挿入部材で便を包囲して保持し強制的に排出するようにした排便装置。
【請求項２】
展開機構が、直線状の棒状部材の先端と途中の所定位置を軸支して挿入部材に取り付けるようにし、軸支した間の棒状部材の部分をはり出した形状になるよう曲げ、挿入部材の基端側で折曲して操作部とし、はり出した部分が大きく旋回してシートを大きく展開できる構造にした請求項１記載の排便装置。
【請求項３】
棒状部材が、左右方向にスライドする構造にして、より大きくシートを展開できるようにした請求項１又は２記載の排便装置。
【請求項４】
挿入部材の腸内への挿入部分が、略半円筒形状である請求項１〜３いずれかに記載の排便装置。
【発明の詳細な説明】
【０００１】
【発明の属する技術分野】
本発明は、自力で排出できない人の便をシートと挿入部材で保持して強制的に排出する排便装置に関する。
【０００２】
【従来の技術】
従来、直腸内から便を強制的に排出するには処置する人が指で掻き出していた。人の指で処置することは処置される人にとって不快であり、処置に時間を要する問題もあった。
そこで本発明人は、シートを筒状に展開して便を包囲し排出できる排便器具を発明した。
しかし、さらに簡単な操作で、一度に多くの便を排出できることが求められていた。
【０００３】
【発明が解決しようとする課題】
本発明が解決しようとする課題は、従来のこれらの問題点を解消し、簡単な操作で一度に多くの便を強制的に排出できる排便装置を提供することにある。
【０００４】
【課題を解決するための手段】
かかる課題を解決した本発明の構成は、
１）  肛門から腸内に先端側の所定位置までを挿入できる所要巾の細長の挿入部材を設け、同挿入部材に棒状部材を可動自在に取り付け、前記挿入部材と前記棒状部材に両端を取り付けるようにシートをはり渡し、棒状部材を動かして便を包囲するようシートを展開する展開機構を設け、同展開機構の操作部を挿入部材の基端側に設け、シートを展開してシートと挿入部材で便を包囲して保持し強制的に排出するようにした排便装置
２）  展開機構が、直線状の棒状部材の先端と途中の所定位置を軸支して挿入部材に取り付けるようにし、軸支した間の棒状部材の部分をはり出した形状になるよう曲げ、挿入部材の基端側で折曲して操作部とし、はり出した部分が大きく旋回してシートを大きく展開できる構造にした前記１）記載の排便装置
３）  棒状部材が、左右方向にスライドする構造にして、より大きくシートを展開できるようにした前記１）又は２）記載の排便装置
４）  挿入部材の腸内への挿入部分が、略半円筒形状である前記１）〜３）いずれかに記載の排便装置
にある。
【０００５】
【作用】
本発明では、処置する人の肛門から腸内へ排便装置を所定の位置まで挿入し、挿入部材の基端側の操作により展開手段でシートを展開して便を包囲する。シートは、一端を挿入部材に固着させているので、便をシートと挿入部材で包囲して保持することとなる。便をこのように保持したならば、排便装置の腸内に挿入した部分を便とともに引き抜くようにして、便を強制的に排出する。
挿入部材に棒状部材を可動自在に取り付け、シートを展開する展開手段を設けて排便装置としたものは、挿入部材の基端側に設けた展開機構の操作部の操作により棒状部材を作動させてシートを展開し便を包囲する。
展開機構が、棒状部材の一部をはり出すように曲げた部材を設けて軸支し、棒状部材の後端を折曲して操作部としたものは、棒状部材の基端側の折曲部分を操作部として回転方向に動かし、はり出した部分を回転方向に移動させてシートを展開して便を包囲する。
棒状部材が左右方向にスライドする構造にしたものは、シートを展開し始める側に棒状部材をスライドさせて横方向に広くシートを展開し始めるようにし、シートを上方に展開する際に棒状部材をスライドさせ、上方に広くシートを展開し、かつ、反対側の横方向にも広くシートを展開する。
挿入部材の腸内への挿入部材が、略半円筒形状であるものは、略半円筒形状の内側で便を確実に多くの便を保持して排出する。
【０００６】
【発明の実施の形態】
展開手段及び展開機構には、棒状部材を回転させて、回転中心より偏心した部分がシートを展開するものや、シートを取り付けた部材を筒体に取り付けて、その筒体を挿入部材の内側又は外側で回転させるものなどがあり、簡単な構成でコストを抑制できるものが好ましい。
挿入部材には、板状のもの、略半筒状のものなどがあり、腸内に挿入できる所要巾の細長のものであればよく、シートとともに便をしっかり保持できるものが好ましい。
挿入部材は、腸の内壁を傷つけない硬さ、形状のものがよく、丸味をもたせた滑らかな形状にするのが望ましい。
便を包囲するシートは、下水に廃棄できるように可溶性のものを用いたり、後処理が容易な生物分解性のものを用いたり、さらに薬品類で容易に溶解して処理し易くできるものを用いるのがよい。シートの内面は包囲した便を直腸内から排出する時に滑らないように突起物を設けたり面を粗くしてもよい。
挿入部材の先端には、キャップを取り付けるようにしてもよい。キャップは、直腸内の水分で溶けるゼラチン等の材質にして腸内で溶けるようにしてもよい。
【０００７】
【実施例】
本発明の各実施例について、図面を参照して具体的に説明する。
実施例１（図１〜４参照）
本発明は、腸内に挿入した挿入部材から展開手段によりシートを展開して便を包囲する排便装置の例であって、棒状部材をはり出した形状になるように曲げ、軸支した展開機構を設け、棒状部材が左右にスライドする構造にし、挿入部材の腸内への挿入部分を略半円筒形状にした排便装置である。
図１は実施例１の排便装置の説明図である。図２は実施例１の排便装置を使用して強制的に排便する状態を示す説明図である。図３，４は実施例１の排便装置の説明図である。
図中、１は排便装置、２は挿入部材、２ａは半円筒部分、２ｂは先端部、２ｃはスライド支持部、２ｄは円筒部、２ｅは貫通部、３は棒状部材、３ａははり出し部分、３ｂは操作部、４はスライド部材、４ａは支持穴、５はシート、Ｂは便、ｈは人である。
【０００８】
本実施例１の排便装置１では、図１〜４に示すように、肛門から腸内に挿入できる大きさの円筒物を挿入部材２とし、挿入部材２の所定の位置から前端まで切欠き部分を設けるようにして半円筒部分２ａを設け、その後方を円筒部２ｄとする。次に、挿入部材２の前端となる半円筒部分２ａの切欠き面の前端部分に、先細り形状で前方に突出させた先端部２ｂを設ける。この先端部２ｂの後面には、横長の凹部を設けてスライド支持部２ｃとする。次に、円筒部２ｄに左右に貫通する貫通部２ｅを設ける。次に、横長で所定厚さのスライド部材４を貫通部２ｅを貫通させるようにして挿入部材２の円筒部２ｄに取り付ける。また、スライド部材４には、前後に所定の径で貫通した支持穴４ａを設けておく。次に、長い棒状部材３の先端部分を先端部２ｂのスライド支持部２ｃの凹部に嵌入する。これにより棒状部材３の先端部分は、回転自在でかつスライド自在となる。棒状部材３は、半円筒部分２ａの前側位置で、挿入部材２の外周方向に向かうよう折曲し、挿入部材２の外周側の所定位置で、後方に向かうよう折曲し、さらに、半円筒部分２ａの後端近くの位置で半円筒部分２ａの内側方向に向かうよう折曲し、さらに半円筒部分２ａの内側で後方に向かうよう折曲する。これによって、半円筒部分２ａの切欠した開口部分から、外周方向にはり出したはり出し部分３ａを形成する。棒状部材３の後側は、円筒部２ｄの内部を、直線的に後方に向って伸びるようにし、途中がスライド部材４の支持穴４ａを貫通するようにする。このようにして、棒状部材３を円筒部２ｄの後端から後方外部に突出させたならば、後方外部に突出した棒状部材３の後端部を外周方向に向かうよう折曲して操作部３ｂを形成する。次に長いシート５の一端を棒状部材３のはり出し部分３ａに取り付け、他端を半円筒部分２ａの端部に取り付ける。シート５の途中は、折りたたむようにして、半円筒部分２ａの内部に収容する。このように本実施例１では、はり出し部分３ａを有する棒状部材３を所定範囲で回転できるよう支持して展開手段及び展開機構としている。
【０００９】
本実施例１の排便装置を使用するには、便を自力で排出できない人の肛門から腸内へ挿入部材２の半円筒部分２ａ及び、円筒部２ｄの所定位置までを挿入する（図２（ａ））。
この際には、棒状部材３のはり出し部分３ａが、シート５の一端を取り付けた側の半円筒部分２ａの端に当たるようにし、かつ、スライド部材４を、シート５の一端を取り付けた側と反対側の半円筒部分２ａの端側にスライドさせる。これによって、棒状部材３の先端及び、スライド部材４で軸支した棒状部材３部分が移動し、はり出し部分３ａの大部分が半円筒部分２ａの内側に位置し、肛門から腸内への挿入が行いやすくなる。
所定の位置まで排便装置１を肛門から腸内に挿入したならば、図３に示すようにスライド部材４を左にスライドさせて、はり出し部分３ａが挿入部材２の側方外側にはり出すようにする。
次に、棒状部材３の操作部３ｂを体外で略９０°回転させるよう操作し、はり出し部分３ａが挿入部材２の上方外周側に位置するように旋回移動させる。
次に、この状態でスライド部材４を反対側（右側）にスライドさせて、はり出し部分３ａが挿入部材２の上方外周側でスライド移動するようにする。
次に、棒状部材３の操作部３ｂを体外でさらに略９０°下方に向って回転させるよう操作し、はり出し部分３ａが挿入部材２の側方外周側に位置するように旋回移動させる。
次に、スライド部材４を左側にスライドさせて、はり出し部分３ａの大部分が半円筒部分２ａの内側になるように移動させる。
このような挿入部材２のはり出し部分３ａの動きによって、半円筒部分２ａの一端から側方及び上方を大きく覆うようにシート５を展開し、図２（ｂ），図４に示すように腸内の排出されない便Ｂを包囲する。
挿入部材２に半円筒部分２ａを設けていることにより、その内側で便を確実に保持できるとともに湾曲形状で便をより多く一度に排出できるようにする。
シート５の長さは、このはり出し部分３ａの軌跡より少し短いようにしておき、はり渡されると少し収縮するようにして便Ｂを強く保持できるようにしている。便Ｂをシート５で強く保持したならば、この状態で排便装置１を肛門より体外に引き抜くようにして、便Ｂを体外に排出する（図２（ｃ））。
このように、非常に簡単な操作で便の排出が行え、また、一度に非常に多くの便が処理できるため、処置時間が短くなり、患者は非常に楽になる。
【００１０】
実施例２（図５参照）
図５に示す実施例２はスライド部材を用いない排便装置の例である。
図５は実施例２の排便装置の説明図である。
図中、１１は排便装置、１２は挿入部材、１２ａは半円筒部分、１２ｂは先端部、１２ｃは前方支持部、１２ｄは板状部分、１２ｅは後方支持部である。
実施例２では、穴形状の前方支持部１２ｃと貫通穴を有する後方支持部１２ｅによって棒状部材３を支持する。また、挿入部材１２の後部は、板状で所定巾となっている板状部分を設けている。
このようにスライドさせずに、はり出し部分３ａの旋回する動きだけでシートを展開するようにしてもよい。
【００１１】
図６に示すのは実施例の他の例である。
図中、１５は挿入部材である。
実施例の他の例では挿入部材１５として板状の部材を用いている。このように、挿入部材１５として細長の板状のものを用いるようにしてもよい。
【００１２】
【発明の効果】
本発明の排便装置によれば、より簡単な操作で一度に多くの便を強制的に排出できる。
展開機構が、棒状部材の一部をはり出すように曲げた部分を軸支し、棒状部材の後端を折曲して操作部としたものは、簡単な構造でコストを抑制し、さらに簡単な操作で強制的な排便ができるようにする。
棒状部材が左右方向にスライドする構造にしたものと挿入部材の腸内への挿入部分が、略半円筒形状であるものは、さらに多くの便を一度に処理でき、効果高く処置でき、また処置時間を短くして患者をさらに楽にできる。
【図面の簡単な説明】
【図１】  実施例１の排便装置の説明図である。
【図２】  実施例１の排便装置を使用して強制的に排便する状態を示す説明図である。
【図３】  実施例１の排便装置の説明図である。
【図４】  実施例１の排便装置の説明図である。
【図５】  実施例２の排便装置の説明図である。
【図６】  実施例の排便装置の他の例の説明図である。
【符号の説明】
１  排便装置
２  挿入部材
２ａ  半円筒部分
２ｂ  先端部
２ｃ  スライド支持部
２ｄ  円筒部
２ｅ  貫通部
３  棒状部材
３ａ  はり出し部分
３ｂ  操作部
４  スライド部材
４ａ  支持穴
５  シート
１１  排便装置
１２  挿入部材
１２ａ  半円筒部分
１２ｂ  先端部
１２ｃ  前方支持部
１２ｄ  板状部分
１２ｅ  後方支持部
１５  挿入部材
Ｂ  便
ｈ  人
【図１】
0003936572.tif 000002
【図２】
0003936572.tif 000003
【図３】
0003936572.tif 000004
【図４】
0003936572.tif 000005
【図５】
0003936572.tif 000006
【図６】
0003936572.tif 000007